(57)【要約】【課題】偏極キセノンガスのガス相および溶解相の両方からのデータを同時収集し、且つ、溶解相からのＮＭＲ信号の取得効率を向上する。【解決手段】偏極キセノンガスのガス相を励起するための周波数ｆｇの第１ＲＦパルスを印加し、続いて偏極キセノンガスの溶解相を励起するための周波数ｆｄの第２ＲＦパルスを印加し、続いてガス相および溶解相からのＮＭＲ信号を同時受信する。【効果】ガス相を励起するための第１ＲＦパルスと溶解相を励起するための第２ＲＦパルスとを順に印加するため、ガス相のフリップ角を小さくし且つ溶解相のフリップ角を大きくでき、減偏極を抑えて溶解相からのＮＭＲ信号を強くすることができ、その取得効率を向上することが出来る。【選択図】図２
2006087763.tif 000002
【特許請求の範囲】
【請求項１】
偏極キセノンガスのガス相を励起するための周波数ｆｇの第１ＲＦパルスを印加し、続いて偏極キセノンガスの溶解相を励起するための周波数ｆｄの第２ＲＦパルスを印加し、続いてＦＩＤ信号を受信することを特徴とするデータ収集方法。
【請求項２】
請求項１に記載のデータ収集方法において、前記第１ＲＦパルスの振幅Ａｇを前記第２ＲＦパルスの振幅Ａｄより小さくすることを特徴とするデータ収集方法。
【請求項３】
請求項１または請求項２に記載のデータ収集方法において、前記周波数ｆｇと前記周波数ｆｄの中間の周波数ｆｒにより前記ＦＩＤ信号を検波することを特徴とするデータ収集方法。
【請求項４】
偏極キセノンガスのガス相を励起するための周波数ｆｇの第１ＲＦパルスを印加し、続いて偏極キセノンガスの溶解相を励起するための周波数ｆｄの第２ＲＦパルスを印加し、続いてリード傾斜磁場を印加しながらエコー信号を受信することを特徴とするデータ収集方法。
【請求項５】
請求項４に記載のデータ収集方法において、前記第１ＲＦパルスの振幅Ａｇを前記第２ＲＦパルスの振幅Ａｄより小さくすることを特徴とするデータ収集方法。
【請求項６】
請求項４または請求項５に記載のデータ収集方法において、前記周波数ｆｇと前記周波数ｆｄの中間の周波数ｆｒにより前記エコー信号を検波することを特徴とするデータ収集方法。
【請求項７】
請求項４から請求項６のいずれかに記載のデータ収集方法において、前記周波数ｆｇと前記周波数ｆｄの差の周波数Δｆ＝｜ｆｄ-ｆｇ｜よりも、ガス相からのエコー信号の観測領域（ＦＯＶ）に対する周波数幅と溶解相からの観測領域に対する周波数幅とを足したものの半分が狭くなるように、傾斜磁場を印加することを特徴とするデータ収集方法。
【請求項８】
偏極キセノンガスのガス相を励起するための周波数ｆｇの第１ＲＦパルスを印加し続いて偏極キセノンガスの溶解相を励起するための周波数ｆｄの第２ＲＦパルスを印加するＲＦパルス印加手段と、前記第２ＲＦパルスの印加に続いてＦＩＤ信号を受信する受信手段を具備したことを特徴とするＭＲＩ装置。
【請求項９】
請求項８に記載のＭＲＩ装置において、前記第１ＲＦパルスの振幅Ａｇを前記第２ＲＦパルスの振幅Ａｄより小さくすることを特徴とするＭＲＩ装置。
【請求項１０】
請求項８または請求項９に記載のＭＲＩ装置において、前記周波数ｆｇと前記周波数ｆｄの中間の周波数ｆｒにより前記ＦＩＤ信号を検波する検波手段を具備したことを特徴とするＭＲＩ装置。
【請求項１１】
偏極キセノンガスのガス相を励起するための周波数ｆｇの第１ＲＦパルスを印加し続いて偏極キセノンガスの溶解相を励起するための周波数ｆｄの第２ＲＦパルスを印加するＲＦパルス印加手段と、前記第２ＲＦパルスの印加に続いてリード傾斜磁場を印加しながらエコー信号を受信する受信手段を具備したことを特徴とするＭＲＩ装置。
【請求項１２】
請求項１１に記載のＭＲＩ装置において、前記第１ＲＦパルスの振幅Ａｇを前記第２ＲＦパルスの振幅Ａｄより小さくすることを特徴とするＭＲＩ装置。
【請求項１３】
請求項１１または請求項１２に記載のＭＲＩ装置において、前記周波数ｆｇと前記周波数ｆｄの中間の周波数ｆｒにより前記エコー信号を検波する検波手段を具備したことを特徴とするＭＲＩ装置。
【請求項１４】
請求項１１から請求項１３のいずれかに記載のＭＲＩ装置において、前記周波数ｆｇと前記周波数ｆｄの差の周波数Δｆ＝ｆｄ-ｆｇよりも、ガス相からのエコー信号の観測領域（ＦＯＶ）に対する周波数幅と溶解相からの観測領域に対する周波数幅とを足したものの半分が狭くなるように、傾斜磁場を印加する傾斜磁場印加手段を具備したことを特徴とするＭＲＩ装置。
【発明の詳細な説明】
【技術分野】
【０００１】
本発明は、データ収集方法およびＭＲＩ（Magnetic Resonance Imaging）装置に関し、更に詳しくは、偏極キセノンガスの溶解相（血液に溶解している状態：dissolved phase）からのＮＭＲ（Nuclear Magnetic Resonance）信号の取得効率を向上すると共にＲＦ電力増幅器に負担をかけずに且つＳＡＲ（Specific Absorption Rate）を増大させずに、ガス相（血液に溶解していない状態：gas phase）および溶解相の両方からのデータを同時収集しうるデータ収集方法およびＭＲＩ装置に関する。
【背景技術】
【０００２】
従来、偏極キセノンガスを被検体に吸入させ、肺において偏極キセノンガスを溶解した血液が臓器に浸潤した状態でＲＦパルスを印加して同位体キセノンを励起し、同位体キセノンが発するＮＭＲ信号を受信し、同位体キセノンの密度画像を生成する技術が知られている（例えば、特許文献１参照。）。
【０００３】
【特許文献１】特開２００４−１１３３１７号公報
【発明の開示】
【発明が解決しようとする課題】
【０００４】
偏極キセノンガスのガス相からのＮＭＲ信号と溶解相からのＮＭＲ信号とを同時に受信することは、灌流動態を定量化する上で必要である。このためには、ガス相および溶解相の両方を同時に励起すればよい。
しかし、ガス相と溶解相とを同時に励起すると、ガス相からのＮＭＲ信号に比べて溶解相からのＮＭＲ信号が非常に小さくなり、溶解相からのＮＭＲ信号の取得効率が悪くなる問題点がある。また、ガス相を励起するための周波数ｆｇと溶解相を励起するための周波数ｆｄには大きな差があり（例えば静磁場強度１.５Ｔにおいて１２.７７ｋＨｚ）、両方を同時に励起するには大きなピークＲＦパワーが必要になり、ＲＦ電力増幅器に負担がかかる問題点がある。また、ＳＡＲが増大し、被検体にとって好ましくない問題点がある。
そこで、本発明の目的は、溶解相からのＮＭＲ信号の取得効率を向上すると共にＲＦ電力増幅器に負担をかけずに且つＳＡＲを増大させずに、偏極キセノンガスのガス相および溶解相の両方からのデータを同時収集しうるデータ収集方法およびＭＲＩ装置を提供することにある。
【課題を解決するための手段】
【０００５】
第１の観点では、本発明は、偏極キセノンガスのガス相を励起するための周波数ｆｇの第１ＲＦパルスを印加し、続いて偏極キセノンガスの溶解相を励起するための周波数ｆｄの第２ＲＦパルスを印加し、続いてＦＩＤ（Free Induction Decay）信号を受信することを特徴とするデータ収集方法を提供する。
上記第１の観点によるデータ収集方法では、ガス相を励起するための第１ＲＦパルスと溶解相を励起するための第２ＲＦパルスとを順に印加するため、ガス相のフリップ角を小さくし且つ溶解相のフリップ角を大きくできる。これにより、減偏極を抑えて溶解相からのＮＭＲ信号を強くすることができ、その取得効率を向上することが出来る。また、一時に大きなピークＲＦパワーが必要にならず、ＲＦ電力増幅器に負担がかからない。また、ＳＡＲも増大しない。
なお、第２ＲＦパルスを印加する時間だけガス相からのＦＩＤ信号を受信するタイミングが遅れることになるが、ガス相からのＦＩＤ信号は溶解相からのＦＩＤ信号よりも強大であるため、データ収集に支障はない。これを逆にすると、溶解相からの元々小さいＦＩＤ信号が減衰してしまい、好ましくない。
【０００６】
第２の観点では、本発明は、上記第１の観点によるデータ収集方法において、前記第１ＲＦパルスの振幅Ａｇを前記第２ＲＦパルスの振幅Ａｄより小さくすることを特徴とするデータ収集方法を提供する。
上記第２の観点によるデータ収集方法では、第１ＲＦパルスによるガス相の励起を、第２ＲＦパルスによる溶解相の励起より抑制することになるが、ガス相の励起を抑制することにより減偏極を抑制でき、溶解相からのＦＩＤ信号を増強できる。また、ガス相からのＦＩＤ信号は溶解相からのＦＩＤ信号よりも強大であるため、ガス相の励起を抑制してもデータ収集に支障はない。
【０００７】
第３の観点では、本発明は、上記第１または第２の観点によるデータ収集方法において、前記周波数ｆｇと前記周波数ｆｄの中間の周波数ｆｒにより前記ＦＩＤ信号を検波することを特徴とするデータ収集方法を提供する。
上記第３の観点によるデータ収集方法では、周波数ｆｒの両側に、ガス相のスペクトルと溶解相のスペクトルとを分離することが出来る。
【０００８】
第４の観点では、本発明は、偏極キセノンガスのガス相を励起するための周波数ｆｇの第１ＲＦパルスを印加し、続いて偏極キセノンガスの溶解相を励起するための周波数ｆｄの第２ＲＦパルスを印加し、続いてリード傾斜磁場を印加しながらエコー信号を受信することを特徴とするデータ収集方法を提供する。
上記第４の観点によるデータ収集方法では、ガス相を励起するための第１ＲＦパルスと溶解相を励起するための第２ＲＦパルスとを順に印加するため、ガス相のフリップ角を小さくし且つ溶解相のフリップ角を大きくできる。これにより、減偏極を抑えて溶解相からのＮＭＲ信号を強くすることができ、その取得効率を向上することが出来る。また、一時に大きなピークＲＦパワーが必要にならず、ＲＦ電力増幅器に負担がかからない。また、ＳＡＲも増大しない。
なお、第２ＲＦパルスを印加する時間だけガス相からのエコー信号を受信するタイミングが遅れることになるが、ガス相からのエコー信号は溶解相からのエコー信号よりも強大であり、ガス相からのエコー信号のＴ２＊も溶解相からのエコー信号のＴ２＊に比べて長いため、データ収集に支障はない。これを逆にすると、溶解相からの元々小さいエコー信号が減衰してしまい、好ましくない。
【０００９】
第５の観点では、本発明は、上記第４の観点によるデータ収集方法において、前記第１ＲＦパルスの振幅Ａｇを前記第２ＲＦパルスの振幅Ａｄより小さくすることを特徴とするデータ収集方法を提供する。
上記第５の観点によるデータ収集方法では、第１ＲＦパルスによるガス相の励起を、第２ＲＦパルスによる溶解相の励起より抑制することになるが、ガス相の励起を抑制することにより減偏極を抑制でき、溶解相からのＦＩＤ信号を増強できる。また、ガス相からのエコー信号は溶解相からのエコー信号よりも強大であるため、ガス相の励起を抑制してもデータ収集に支障はない。
【００１０】
第６の観点では、本発明は、上記第４または第５の観点によるデータ収集方法において、前記周波数ｆｇと前記周波数ｆｄの中間の周波数ｆｒにより前記エコー信号を検波することを特徴とするデータ収集方法を提供する。
上記第６の観点によるデータ収集方法では、周波数ｆｒの両側に、ガス相のイメージと溶解相のイメージとを分離することが出来る。
【００１１】
第７の観点では、本発明は、上記第４から第６の観点によるデータ収集方法において、前記周波数ｆｇと前記周波数ｆｄの差の周波数Δｆ＝ｆｄ-ｆｇよりも、ガス相からのエコー信号の観測領域（ＦＯＶ）に対する周波数幅と溶解相からの観測領域に対する周波数幅とを足したものの半分が狭くなるように、傾斜磁場を印加することを特徴とするデータ収集方法を提供する。
上記第７の観点によるデータ収集方法では、ガス相のイメージと溶解相のイメージとが重ならないように周波数軸方向に分離することが出来る。
【００１２】
第８の観点では、本発明は、偏極キセノンガスのガス相を励起するための周波数ｆｇの第１ＲＦパルスを印加し続いて偏極キセノンガスの溶解相を励起するための周波数ｆｄの第２ＲＦパルスを印加するＲＦパルス印加手段と、前記第２ＲＦパルスの印加に続いてＦＩＤ信号を受信する受信手段を具備したことを特徴とするＭＲＩ装置を提供する。
上記第８の観点によるＭＲＩ装置では、前記第１の観点によるデータ収集方法を好適に実施できる。
【００１３】
第９の観点では、本発明は、上記第８の観点によるＭＲＩ装置において、前記第１ＲＦパルスの振幅Ａｇを前記第２ＲＦパルスの振幅Ａｄより小さくすることを特徴とするＭＲＩ装置を提供する。
上記第９の観点によるＭＲＩ装置では、前記第２の観点によるデータ収集方法を好適に実施できる。
【００１４】
第１０の観点では、本発明は、上記第８または第９の観点によるＭＲＩ装置において、前記周波数ｆｇと前記周波数ｆｄの中間の周波数ｆｒにより前記ＦＩＤ信号を検波する検波手段を具備したことを特徴とするＭＲＩ装置を提供する。
上記第１０の観点によるＭＲＩ装置では、前記第３の観点によるデータ収集方法を好適に実施できる。
【００１５】
第１１の観点では、本発明は、偏極キセノンガスのガス相を励起するための周波数ｆｇの第１ＲＦパルスを印加し続いて偏極キセノンガスの溶解相を励起するための周波数ｆｄの第２ＲＦパルスを印加するＲＦパルス印加手段と、前記第２ＲＦパルスの印加に続いてリード傾斜磁場を印加しながらエコー信号を受信する受信手段を具備したことを特徴とするＭＲＩ装置を提供する。
上記第１１の観点によるＭＲＩ装置では、前記第４の観点によるデータ収集方法を好適に実施できる。
【００１６】
第１２の観点では、本発明は、上記第１１の観点によるＭＲＩ装置において、前記第１ＲＦパルスの振幅Ａｇを前記第２ＲＦパルスの振幅Ａｄより小さくすることを特徴とするＭＲＩ装置を提供する。
上記第１２の観点によるＭＲＩ装置では、前記第５の観点によるデータ収集方法を好適に実施できる。
【００１７】
第１３の観点では、本発明は、上記第１１または第１２の観点によるＭＲＩ装置において、前記周波数ｆｇと前記周波数ｆｄの中間の周波数ｆｒにより前記エコー信号を検波する検波手段を具備したことを特徴とするＭＲＩ装置を提供する。
上記第１３の観点によるＭＲＩ装置では、前記第６の観点によるデータ収集方法を好適に実施できる。
【００１８】
第１４の観点では、本発明は、上記第１１から第１３の観点によるＭＲＩ装置において、前記周波数ｆｇと前記周波数ｆｄの差の周波数Δｆ＝ｆｄ-ｆｇよりも、ガス相からのエコー信号の観測領域に対する周波数幅と溶解相からの観測領域に対する周波数幅とを足したものの半分が狭くなるように、傾斜磁場を印加する傾斜磁場印加手段を具備したことを特徴とするＭＲＩ装置を提供する。
上記第１４の観点によるＭＲＩ装置では、前記第７の観点によるデータ収集方法を好適に実施できる。
【発明の効果】
【００１９】
本発明のデータ収集方法およびＭＲＩ装置によれば、溶解相からのＮＭＲ信号の取得効率を向上することが出来る。また、ＲＦ電力増幅器に負担をかけずに且つＳＡＲを増大させずに、偏極キセノンガスのガス相および溶解相の両方からのデータを同時収集することが出来る。
【発明を実施するための最良の形態】
【００２０】
以下、図に示す実施の形態により本発明をさらに詳細に説明する。なお、これにより本発明が限定されるものではない。
【実施例１】
【００２１】
図１は、実施例１に係るＭＲＩ装置１００を示すブロック図である。
このＭＲＩ装置１００において、マグネットアセンブリ１は、内部に被検体を挿入するための空間部分（ボア）を有し、この空間部分を取りまくようにして、Ｘ軸傾斜磁場を形成するＸ軸勾配コイル１Ｘと、Ｙ軸傾斜磁場を形成するＹ軸勾配コイル１Ｙと、Ｚ軸傾斜磁場を形成するＺ軸勾配コイル１Ｚと、被検体内の原子核のスピンを励起するためのＲＦパルスを与える送信コイル１Ｔと、被検体からのＮＭＲ信号を検出する受信コイル１Ｒと、静磁場を形成する永久磁石対１Ｍとを具備している。なお、永久磁石対１Ｍの代わりに超電導マグネットを用いてもよい。
【００２２】
Ｘ軸勾配コイル１Ｘ，Ｙ軸勾配コイル１Ｙ，Ｚ軸勾配コイル１Ｚ，送信コイル１Ｔおよび受信コイル１Ｒは、それぞれＸ軸勾配コイル駆動回路３Ｘ，Ｙ軸勾配コイル駆動回路３Ｙ，Ｚ軸勾配コイル駆動回路３Ｚ，ＲＦ電力増幅器４および前置増幅器５に接続されている。
【００２３】
シーケンス記憶回路８は、計算機７からの指令に従い、記憶しているパルスシーケンスに基づいて勾配コイル駆動回路３Ｘ，３Ｙ，３Ｚを操作し、勾配コイル１Ｘ，１Ｙ，１Ｚから傾斜磁場を発生させると共に、ゲート変調回路９を操作し、ＲＦ発振回路１０の搬送波出力信号を所定タイミング・所定包絡線形状・所定位相のパルス状信号に変調し、それをＲＦパルスとしてＲＦ電力増幅器４に加え、ＲＦ電力増幅器４でパワー増幅した後、送信コイル１Ｔに印加する。
【００２４】
前置増幅器５は、受信コイル１Ｒで受信された被検体からのＮＭＲ信号を増幅し、位相検波器１２に入力する。位相検波器１２は、ＲＦ発振回路１０の出力する参照信号により前置増幅器５からのＮＭＲ信号を位相検波して、ＡＤ変換器１１に与える。ＡＤ変換器１１は、位相検波後のアナログ信号をデジタルデータに変換して、計算機７に入力する。
【００２５】
計算機７は、操作卓１３から入力された情報を受け取るなどの全体的な制御を受け持つ。また、計算機７は、ＡＤ変換器１１からデジタルデータを読み込み、演算処理を行って画像を生成する。
表示装置６は、画像やメッセージを表示する。
【００２６】
偏極キセノンガス供給装置１４は、被検体に吸入させるべく、偏極キセノンガスを発生し供給する。
【００２７】
図２は、実施例１に掛かるパルスシーケンスを示す概念図である。
（１）被検体に偏極キセノンガスを吸入させながら、ガス相を励起するための、周波数ｆｇ，振幅Ａｇの第１ＲＦパルスＲｇを送信コイル１Ｔから印加する。
【００２８】
（２）続いて、ＲＦ発振回路１０の搬送波出力信号の周波数をｆｇからｆｄへ切り替えると共にゲート変調回路９で振幅をＡｇからＡｄに切り替えて、溶解相を励起するための、周波数ｆｄ，振幅Ａｄの第２ＲＦパルスＲｄを印加する。ここで、静磁場が１.５Ｔならば、ｆｄ＝ｆｇ＋１２.７７ｋＨｚである。また、第１ＲＦパルスＲｇによるガス相の励起を第２ＲＦパルスＲｄによる溶解相の励起より抑制するために、Ａｇ＜Ａｄとする。これは、ガス相からのエコー信号は溶解相からのエコー信号よりも強大であるため、ガス相の励起を抑制してもデータ収集に支障はなく、むしろ、ガス相の励起を抑制することにより、減偏極を抑制でき、溶解相からのエコー信号を増強できて、好ましいからである。
【００２９】
（３）続いて、受信コイル１ＲでＦＩＤ信号を受信し、そのＦＩＤ信号を位相検波器１２で周波数ｆｒの参照信号により位相検波する。ここで、例えばｆｒ＝（ｆｇ＋ｆｄ）／２とする。また、受信帯域は、図３に示すガス相のスペクトルＳｇと溶解相のスペクトルＳｄの両方をカバーするように設定しておく。
【００３０】
実施例１によれば、溶解相からのＮＭＲ信号の取得効率を向上することが出来る。また、ＲＦ電力増幅器４に負担をかけずに且つＳＡＲを増大させずに、偏極キセノンガスのガス相および溶解相の両方からのデータを同時に収集し、図３に示すガス相のスペクトルＳｇと溶解相のスペクトルＳｄを得てスペクトル解析を行うことが出来る。
【実施例２】
【００３１】
図４は、実施例２に掛かるパルスシーケンスを示す概念図である。
（１）被検体に偏極キセノンガスを吸入させながら、ガス相を励起するための、周波数ｆｇ，振幅Ａｇの第１ＲＦパルスＲｇを送信コイル１Ｔから印加する。同時に、勾配コイル１Ｘ，１Ｙ，１Ｚによりスライス傾斜磁場Ｇａを印加して、図５の（ａ）に示す如きガス相励起スライスｇを規定する。
【００３２】
（２）続いて、ＲＦ発振回路１０の搬送波出力信号の周波数をｆｇからｆｄへ切り替えると共にゲート変調回路９で振幅をＡｇからＡｄに切り替えて、溶解相を励起するための、周波数ｆｄ，振幅Ａｄの第２ＲＦパルスＲｄを印加する。同時に、勾配コイル１Ｘ，１Ｙ，１Ｚによりスライス傾斜磁場Ｇｂを印加して、図５の（ｂ）に示す如き溶解相励起スライスｄを規定する。ここで、静磁場が１.５Ｔならば、ｆｄ＝ｆｇ＋１２.７７ｋＨｚである。また、第１ＲＦパルスＲｇによるガス相の励起を第２ＲＦパルスＲｄによる溶解相の励起より抑制するために、Ａｇ＜Ａｄとする。これは、ガス相からのエコー信号は溶解相からのエコー信号よりも強大であるため、ガス相の励起を抑制してもデータ収集に支障はなく、むしろ、ガス相の励起を抑制することにより、減偏極を抑制でき、溶解相からのエコー信号を増強できて、好ましいからである。
【００３３】
（３）続いて、勾配コイル１Ｘ，１Ｙ，１Ｚにより、スライス軸にリフェーズ傾斜磁場Ｇｃを印加し、ワープ軸に位相エンコード傾斜磁場Ｇｗを印加し、リード軸にディフェーズ傾斜磁場Ｇｄを印加する。
【００３４】
（４）続いて、勾配コイル１Ｘ，１Ｙ，１Ｚによりリード軸にリード傾斜磁場Ｇｒを印加しながら、受信コイル１Ｒでエコー信号を受信し、そのエコー信号を位相検波器１２で周波数ｆｒの参照信号により位相検波する。ここで、例えばｆｒ＝（ｆｇ＋ｆｄ）／２とする。また、受信帯域は、図６に示すガス相のイメージＩｇと溶解相のイメージＩｄの両方をカバーするように設定しておく。
【００３５】
図２，図４ではＲＦパルス波形をＳＩＮＣ関数型で示してあるが、非対称ＳＩＮＣ関数型や矩形やガウシアン形など任意の波形を用いてよい。
ＳＩＮＣ関数型のような時間軸に対称なＲＦパルス波形の場合、スライス傾斜磁場による位相ズレを補正するため、スライス傾斜磁場Ｇａの勾配強度×時間幅の面積は、スライス傾斜磁場Ｇｂの勾配強度×時間幅の面積の２倍とし、スライス傾斜磁場Ｇｃの勾配強度×時間幅の面積の４倍とする必要がある。ガス相と溶解相の励起パルス帯域が同じでスライス厚も同じである場合は、スライス傾斜磁場強度を変える必要はない。時間軸に非対称なＲＦパルス波形の場合、その位相ズレに対応する分の傾斜磁場面積合計が０になるように勾配強度×時間幅の面積，励起パルス帯域，スライス厚を設計する必要がある。
【００３６】
ＲＦパルス帯域は、例えば４００ｋＨｚとする。このとき、１ｃｍのスライシングが可能であり、十分実用的である。なお、ＲＦパルス帯域をガス相と溶解相とで独立に設定可能である。また、ガス相と溶解相のスライス厚も独立に変更可能である。意図的にガス相のスライスを薄くして減偏極を抑えることも可能である。
【００３７】
リード傾斜磁場Ｇｒは例えば０.５ｍＴ／ｍとする。周波数方向のＦＯＶ幅を４０ｃｍとするとき、ＦＯＶの周波数方向の両端の周波数差は５.１３ｋＨｚとなる。静磁場強度１.５Ｔでの周波数ｆｇと周波数ｆｄの差は１２.７７ｋＨｚであるため、ガス相のイメージＩｇと溶解相のイメージＩｄが干渉することはない。なお、静磁場強度が３Ｔなら、ガス相と溶解相の周波数差が２倍になるので、両者の分離がさらに容易になり、より大きな傾斜磁場を使えるなど、パルスシーケンスの自由度が高まる。
【００３８】
データの受信帯域は例えば±３２ｋＨｚとする。これによって、ガス相と溶解相の両方のデータを収集できる。
【００３９】
実施例２によれば、溶解相からのＮＭＲ信号の取得効率を向上することが出来る。また、ＲＦ電力増幅器４に負担をかけずに且つＳＡＲを増大させずに、偏極キセノンガスのガス相および溶解相の両方からのデータを同時に収集し、図６に示すガス相のイメージＩｇと溶解相のイメージＩｄを得て画像解析を行うことが出来る。
【実施例３】
【００４０】
溶解相内の小さいケミカルシフトにより、溶解相のイメージＩｄ中に位置ズレを生じることがある。これは、静磁場強度１.５Ｔ，受信帯域±３２ｋＨｚ，Mat６４のとき、位相エンコード方向に１ピクセル程度であるため、通常は問題にならない。
しかし、問題になる場合は、受信帯域を高くすればよい。あるいは、図６と図７とに示すように、位相軸と周波数軸とを入れ替えてもよい。
【実施例４】
【００４１】
図２，図４ではＲＦ発振回路１０の搬送波出力信号の周波数をｆｇからｆｄへＲＥＣＴ型に急峻に切り替えているが、ハードウエアのスペックに合わせて、なだらかに切り替えてもよい。
【産業上の利用可能性】
【００４２】
本発明のデータ収集方法およびＭＲＩ装置は、偏極キセノンガスをトレーサとして脳梗塞や慢性肺疾患などの診断に利用できる。
【図面の簡単な説明】
【００４３】
【図１】実施例１に係るＭＲＩ装置の構成を示すブロック図である。
【図２】実施例１に係るパルスシーケンスの概念図である。
【図３】ガス相と溶解相のスペクトルを示す概念図である。
【図４】実施例２に係るパルスシーケンスの概念図である。
【図５】ガス相のスライス位置と溶解相のスライス位置を示す概念図である。
【図６】ガス相のイメージと溶解相のイメージを示す概念図である。
【図７】位相軸と周波数軸を入れ替えたガス相のイメージと溶解相のイメージを示す概念図である。
【符号の説明】
【００４４】
１Ｔ                送信コイル
１Ｘ                Ｘ軸勾配コイル
１Ｙ                Ｙ軸勾配コイル
１Ｚ                Ｚ軸勾配コイル
４                  ＲＦ電力増幅器
９                  ゲート変調回路
１０                ＲＦ発振回路
１２                位相検波器
１００              ＭＲＩ装置
ｇ                  ガス相のスライス
ｄ                  溶解相のスライス
【図１】
2006087763.tif 000003
【図２】
2006087763.tif 000004
【図３】
2006087763.tif 000005
【図４】
2006087763.tif 000006
【図５】
2006087763.tif 000007
【図６】
2006087763.tif 000008
【図７】
2006087763.tif 000009